(57)【要約】    【課題】  塗布体が配置されているものの、微細な空間によって塗布液室と外部とが連通されている為、塗布液が塗布体を介して蒸発してしまう危険性があった。又、使用中に手の温もりなどによって軸筒が温められてしまうと、内部圧力が高まり、その結果、吐出量が多くなってしまい、塗布液の吐出安定性においても些か問題があった。    【構成】  塗布液収容室内の液体を弁を開放することによって塗布先に供給する塗布具であって、前記塗布先を多孔質体からなる焼結体とすると共に、その塗布先の周囲に櫛歯を配置した塗布具。【選択図】  図１
2005177001.tif 000002
【特許請求の範囲】
【請求項１】
塗布液収容室内の液体を弁を開放することによって塗布先に供給する塗布具であって、前記塗布先を多孔質体からなる焼結体とすると共に、その塗布先の周囲に櫛歯を配置したことを特徴とする塗布具。
【請求項２】
前記焼結体より形成した塗布先を樹脂材質としたことを特徴とする請求項１記載の塗布具。
【請求項３】
前記塗布先の先端に櫛歯を形成したことを特徴とする請求項１、或いは、請求項２の何れかに記載の塗布具。
【請求項４】
前記塗布先の近傍に配置した櫛歯と塗布先の先端に形成した櫛歯をほぼ平行に配置したことを特徴とする請求項１〜請求項３の何れかに記載の塗布具。
【請求項５】
前記塗布液収容室と塗布先との間に一時的インキ溜め部材を配置したことを特徴とする請求項１〜請求項４の何れかに記載の塗布具。
【発明の詳細な説明】
【技術分野】
【０００１】
本発明は、塗布液収容室内の液体を弁を開放することによって塗布先に供給する塗布具に関する。
【背景技術】
【０００２】
内部に塗布液を収容した軸筒と、その軸筒の前端に取り付けられ該軸筒内の塗布液が導出されるアクリル性フェルトからなる吸液性の塗布体と、その塗布体の外側に配設された複数本の櫛歯とからなる頭髪用の塗布具が知られている。
【特許文献１】特開平１１−１６９２２４号
【発明の開示】
【発明が解決しようとする課題】
【０００３】
しかしながら、上記従来の技術にあっては、塗布体が配置されているものの、微細な空間によって塗布液室と外部とが連通されている為、塗布液が塗布体を介して蒸発してしまう危険性があった。又、使用中に手の温もりなどによって軸筒が温められてしまうと、内部圧力が高まり、その結果、吐出量が多くなってしまい、塗布液の吐出安定性においても些か問題があった。
【課題を解決するための手段】
【０００４】
本発明は、塗布液収容室内の液体を弁を開放することによって塗布先に供給する塗布具であって、前記塗布先を多孔質体からなる焼結体とすると共に、その塗布先の周囲に櫛歯を配置したことを要旨とする。
【発明の効果】
【０００５】
本発明は、塗布液収容室内の液体を弁を開放することによって塗布先に供給する塗布具であって、前記塗布先を多孔質体からなる焼結体とすると共に、その塗布先の周囲に櫛歯を配置したので、液体の蒸発が防止され、又、安定した吐出が得られる。
【発明を実施するための最良の形態】
【０００６】
以下、本発明を添付図面を参照して説明する。本発明をノック式の毛染め具に適用した例である。参照符号１は塗布先であって、その塗布先１は多孔質体からなる焼結体で形成されている。その焼結体の材質としては、ポリオレフィン系の樹脂材料が良好なものとして挙げられ、特に、表面を親水化したポリエチレンを焼結成形し多孔質体にしたものが良い。その多孔質体の基本特性（気孔率）は、３０〜５０％の範囲が好ましいが、特に、４０％前後が良好な気孔率である。塗布先を焼結体にすることによって、スポンジやウレタンなどの多孔質体に比し、吸い上げ（吸収性）や誘導性、供給性、並びに、剛性と言った点で優れている。そして、その塗布先１の前端面には、複数の櫛歯部２が平行に形成されている。勿論、その櫛歯部２も多孔質体となっている。又、その塗布先１には、その塗布先１を覆うように櫛歯体３が位置しており、その櫛歯体３の前端には櫛歯部４が形成されている。本実施例においては、その櫛歯体３の櫛歯部４と前記塗布体１の櫛歯部２が平行な位置に配置されるよう構成されている。１本、１本の髪の毛を囲繞するようにして染めると同時に、それら染められた髪の毛を綺麗に梳く為になされた手段である。
前記塗布体１は櫛歯体３に装着・固定されているが、櫛歯体３の内面に形成された複数のリブ５によって挟着されている。尚、複数のリブ５を形成することによって、リブ５間に溝が形成されるが、この溝に過剰な液体が一時的に貯留されることもある。
塗布体１の後方には、一時的にインキを蓄える多孔質なスポンジや繊維収束体からなる液体吸蔵体６が設けられており、その液体吸蔵体５の前端には前記塗布体１の後部が埋没している。即ち、塗布体１は、その液体吸蔵体６から液体を供給されるのであるが、前記リブ５間に形成される溝に液体が存在している場合には、その溝からも供給されることになる。
【０００７】
又、液体吸蔵体５の後方には、前方に向けて突出する筒部７と弁座部８を有する弁座部材９が配置されているが、その弁座部材９の筒部７は前記液体吸蔵体６の後部に埋没している。更に、弁座部材９は軸本体１０の中間部に固定されており、軸本体１０の内部に構成された液体収容室１１の蓋体ともなっている。その液体収容室１１内には、押し棒１２が前後動可能に配置されているが、コイルスプリングなどの弾撥部材１３によって、常に後方に付勢されている。ここで、押し棒１２の前端部には、弁部１４が固定されており、前記弁座部８に液密に当接している。この弁部１４と弁座部８の当接によって、前記液体収容室１１を密閉状態となしているが、この弁部１４の弁座部８への当接によって、前記押し棒１２の後退作用も規制されている。尚、前記弾撥部材１３は、その後端を押し棒１２の前端部に当接させ、前端を前記弁座部８の後部に当接させている。
更に、弁座部材９は、塗布液収容室１１内に突出する筒状の鞘部１５を有している。前記弁部１４は、前記筒部７の内部に摺動自在に配置され、又、その弁部１４の後方部は鞘部１５内に摺動自在に配置されている。
前記押し棒１２は、その後部が液体収容室１１の底部である可動部１６の押し棒案内部１７に挿入されている。押し棒１２の後端と、前記押し棒案内部１７の底面とは、僅かな間隙を有している。これは、弁開放のために押し棒案内部１７を前方へ押圧するときの遊びであるが、押し棒１２と押し棒案内部１７とを固定することもできる。
【０００８】
前記液体収容室１１の底部である可動部１６は、押し棒案内部１７と液体収容室１１内壁とを連結する薄肉部１８とから一体に形成されており、この薄肉部１８の形状変化によって、押し棒案内部１７は、外力によって軸方向に弾性的に移動できる。前記薄肉部１８は、縦断面が略階段状になっており、後方が次第に縮径化するように形成されている。薄肉部１８の縦断面が略階段状になっているのは、押し棒案内部１７に押圧力が付与され、この押し棒案内部１７が塗布体方向に移動したときに、階段状薄肉部の角を介して隣接する壁面の間に液体や、沈降物が挾まれないようにし、押圧操作の妨げにならないようにするためである。本実施例において、可動部１６は、前述したように液体収容室１１を有する軸本体１０と一体成形により形成している。これは、薄肉部１８を略階段状となしているので、射出成形法によって成形することが可能なためであり、一体成形することによってコストを低く維持できる。勿論、可動部１６を軸本体１０と別体で成形して取付けても良い。尚、薄肉部１８の厚みは、軸本体１０の壁厚に対し、０．１〜０．６：１が好ましい。また、略階段状の形状において、軸方向に略平行な部分の壁厚は、軸方向に垂直な部分の壁厚より厚いほうが好ましい。
【０００９】
軸本体１０の後端開口部には尾栓１９が挿入固定されている。この尾栓１９は、有底筒体状の押圧冠１９ａと鍔付き筒体状の尾冠１９ｂとが切り離し可能な薄膜部１９ｃを介して一体に形成されたものである。この尾栓１９は、尾冠１９ｂの外壁と軸本体１０の内壁とが密着し、尾冠１９ｂの後端鍔部１９ｄが、軸本体１０の後端面と当接するように軸本体１０に挿入固定されている。又、尾栓１９の尾冠１９ｂの後端部は、後端鍔部１９ｄの後端部よりも若干突出した状態となっており、この状態では完全には操作できないようになっている。しかし、後端鍔部１９ｄの後端部には、凹陥部１９ｅが対向した位置に形成されており、この凹陥部１９ｅに押圧操作を行う指などを位置させることによって完全な操作が得られるようになっている。不慮の操作を防止しているのである。
参照符号２０はキャップである。このキャップ２０は、使用しないときには塗布体１を保護するために櫛歯体３に被冠するが、使用するときには、開口部を押圧冠１９ａと尾冠１９ｂとの間隙に挿入し、押圧操作用補助体として使用する。勿論、キャップ２０を押圧操作補助体として用いず、押圧操作体である押圧冠１９ａを押圧しても良いが、キャップ２０をノック用補助体として使用した場合、使用時においてもキャップ２０は塗布具と一緒なので紛失の可能性が少なくなり好ましい。
参照符号２１は、押し棒１２の後部形成された突起であって、押圧操作を行うたびに前後動し、内部の液体を攪拌し得るようになっている。
【００１０】
次に、使用方法について説明する。図１の状態で尾冠１９ｂに押圧力を付与すると、尾栓１９の押圧冠１９ａと尾冠１９ｂとを一体化している薄膜部１９ｃが破れ、尾栓１９は、押圧冠１９ａと尾冠１９ｂとに分離する。
更に尾冠１９ｂを押圧すると、薄肉部１９ｂが収縮すると共に押し棒案内部１７が前進し、押し棒案内部１７の底面が、弾撥体１３の付勢力に抗して、押し棒１２および弁部８を前進させ、その弁部８と弁座部１４とを離間し弁を開放する。
弁が開放されると、液体収容室１１内の液体は、筒部７内を通り、液体吸蔵体６内に吐出され、更に、液体吸蔵体６を経て塗布体１に供給され塗布が可能になる。
又、筒部７を液体吸蔵体６に埋没した結果、筒部７先端は液体吸蔵体６によって被われる。このために、上記液体吸蔵体６が液体で満たされると筒部７での液体と空気との交換が行なわれなくなり、連続して押圧操作して液体を吐出すると液体収容室１１内は空気が入りにくくなるため負圧となって液体の吐出が低下する。従って、連続して押圧操作をしても過剰な液体が塗布体１および液体吸蔵体６に供給されることがなく、塗布体１からの液体のボタ落ちという問題が発生しない。勿論、塗布を行なうなど、液体吸蔵体６中の液体を消費すれば、液体と空気との交換が行なわれるようになり、新たに押圧操作した場合、液体は吐出される。
【図面の簡単な説明】
【００１１】
【図１】本発明の１例を示す正面図。
【図２】図１の側面図。
【図３】図１の底面図。
【図４】図１の縦断面図。
【図５】図２の縦断面図。
【符号の説明】
【００１２】
１    塗布先
２    櫛歯部
３    櫛歯体
４    櫛歯部
５    リブ
６    液体吸蔵体
７    筒部
８    弁座部
９    弁座部
１０  軸本体
１１  液体収容室
１２  押し棒
１３  弾撥部材
１４  弁部
１５  鞘部
１６  可動部
１７  押し棒案内部
１８  薄肉部
１９  尾栓
２０  キャップ
２１  突起
【図１】
2005177001.tif 000003
【図２】
2005177001.tif 000004
【図３】
2005177001.tif 000005
【図４】
2005177001.tif 000006
【図５】
2005177001.tif 000007